(57)【要約】      （修正有）【課題】持ち運んでも比較的邪魔にならず、使用したい場合にはすぐに使用できるスケートボードを、より有効に、他の通行者に対して迷惑とならないように使用するための形態を課題とする。【解決手段】スケートボードにひも状物６を取り付けられるようにし、そのひも状物を利用することで、より安全に、歩行者による急停止等の機敏性を容易に、近い形で実現でき、スケートと歩行を切り替える動作を円滑にできるようにする。【選択図】図１
0003109674.tif 000002
【実用新案登録請求の範囲】
【請求項１】
デッキ部分にひも状物が着脱可能としたことを特徴とするスケートボード。
【請求項２】
請求項１記載のスケートボードにおいて、デッキ部分に穴を設けたことを特徴とするスケートボード。
【請求項３】
請求項１記載のスケートボードにおいて、デッキ部分に他の板材を介してひも状物が着脱可能としたことを特徴とするスケートボード。
【考案の詳細な説明】
【技術分野】
【０００１】
本考案は、スケートボードの道路上での使用、及びその持ち運びをするための利便性を向上させることに関する。
【背景技術】
【０００２】
スケートボードは足を乗せる板（以下「デッキ」という。）の裏側に車輪（以下「ウィール」という。）を取り付け台（以下「トラック」という。）を介して固定したものであり、人力によって走行するものである。
【０００３】
特殊な形状として、スケートボードから上方に延びた棒を両手でもって操作することを可能としたもの（例えば、特許文献１参照）がある。
【特許文献１】特開２００２−０００７９０号公報
【考案の開示】
【考案が解決しようとする課題】
【０００４】
上記背景技術に記載した操作棒のある形状のものは初心者でも容易に乗ることができ、移動する楽しさが格段に増すものである。道路交通法上、道路の使用等に関して、「交通のひんぱんな道路において、球戯をし、ローラー・スケートをし、又はこれらに類する行為をすること。」を禁止行為と規定している。
【０００５】
スケートボード等をする行為は、このローラー・スケートに類する行為と考えられる。そのため移動使用中に交通が頻繁になった場合において、スケートボードによる移動を中止し、歩行に切り替える場合には、そのスケートボード本体を直接手で持ち、または地面上において足で蹴り移動させている。
【０００６】
交通が頻繁になった場合にはスケートボードをする行為を中止して立ち止まり、またはスケートボードを持ち上げて移動することとなるが、交通状況は場所により変化するものであり、その状況によりスケートボードに乗り、または降りることを繰り返すこととなる場合には、その都度屈んで持ち上げる行為をするのは面倒であり、スケートボードから降り、力を加減して蹴って進ませることを選択する使用者も多いが、楽であるとはいえず、他の通行者の邪魔となることもあると思われる。
そこで、本考案は、これらの問題を課題とする。
【課題を解決するための手段】
【０００７】
本考案は、デッキ部分にひも状物を取り付け、取りはずしできるようにしたスケートボードを提供する。
【０００８】
ひも状物を取り外した状態が従来のスケートボードと同様の形状であり、同様の使用法ができることが好ましい。  これにより、従来のスケートボードの形状から別の突起物があると、その部分が体にあたり、怪我をする危険性があるため、デッキ自体にひも状物を取り付けられる穴を設けることが最良である。  また、上記穴をデッキに沿って取り付けられた板材に設けることで同様の効果が得られる。  ひも状物はデッキ部分に穴を設け、または他の板材を介して着脱可能とする。
【考案の効果】
【０００９】
デッキに取り付けられたひも状物を持って使用することにより、スケートボードに乗って移動している場合において、降りなければいけない状況となったときに、降りると同時にひも状物を引き上げてデッキを持つことにより、そのまま歩行に移行する動作を円滑にすることが可能となる。
【００１０】
そのひも状物を持つことにより、またはひも状物を取り付けるために設けた穴に指を掛けることにより、持ち運びも楽になる。
【００１１】
初心者がスケートボードに乗るために必要とされるバランス感覚を養うときにも乗降を繰り返すため有用である。
【００１２】
さらに、デッキにひも状物を取り付けられることにより、スーツケース等のキャスター付カバンに固定することが可能となり、カバンに標準装備されている車輪で道路上において使用することが不安な場合において、補助的台車としての能力も向上する。
【考案を実施するための最良の形態】
【００１３】
以下、本考案の実施の形態を実施例となる図面を参照しながら説明する。  図１はデッキ部分に穴を設けてひも状物を取り付けた例であり、図２は他の板材をスケートボードに取り付けた例である。  本考案のスケートボードは、図１、２に示すように、デッキ部分にひも状物を着脱可能としている。
【００１４】
本考案に用いるスケートボードとは、木製（合板製）、アルミ製、カーボン製などからなる一般的に用いられる材質のデッキ１が使用できる。  大きさは７０〜１００ｃｍ程度の一般的に用いられる大きさでもよいが、ここでは長さ４０〜５０ｃｍ、幅１５〜２０ｃｍ程度の小型スケートボードで実施する。
【００１５】
ひも状物６とは、繊維質による通常のひも、ビニール製、ゴム製、ベルト等に使われる革製のもの、自転車の鍵等に使用されるワイヤー状のもの、またはこれらの組み合わせにより、柔らかく、自在に曲がり、比較的軽いものである。  ひも状物６の長さはデッキ１に直立乗車した状態で手が届く長さで１ｍ程度である。  ただし、カバン等を固定する場合はその大きさに応じてより長いものを用いる。
【００１６】
デッキ１に穴４を設けて、ひも状物６を取り付ける場合は、足を乗せるのに邪魔にならないように縁側から、強度を損なわないように１〜２ｃｍ程度の位置に設ける。  ひも状物６を取り付ける穴４の大きさは指が二本以上入る大きさ４〜５ｃｍの幅で設けることにより、ひもを持ち、または指を掛けて持ち運びしやすくする。  その他の穴４はひも状物６を掛けられる程度１〜２ｃｍの大きさである（図１）。  デッキ１の側面にはひも状物６を掛けやすくするために溝５を設けても良い。
【００１７】
穴４を設けた板材７を介してひも状物６を取り付ける場合におけるその板材７は、デッキ１に使用する材質と同様のものを用いると良い。  ただし、デッキ１と板材７は違う材質で組み合わせても良い。  板材７はデッキ１とウィール３を取り付けたトラック２で挟み込むようにし、両者を固定するボルト９により一緒に固定する（図２）。  板材７は一枚、または二枚以上使用でき、一方または両方のトラック２で固定しても良い。  板材７を直接デッキ１にねじ止めしても良い。
【００１８】
なお、図１の右側に示すように、ひも状物６を取り付けるために、フック８をデッキ１に設け、穴４の機能を持たせることも可能である。  その場合におけるフック８は、鉄製のものであっても、鋭い角がなく出っ張りを少なくして取り付けると良い。  また、デッキ１に設ける穴４は、デッキ１の一端部であっても良いし、必要であれば二箇所以上に設けても良い。
【図面の簡単な説明】
【００１９】
【図１】この考案の一実施形態を示す図である。
【図２】板材を取り付けた実施形態を示す図である。
【符号の説明】
【００２０】
１  デッキ
２  トラック
３  ウィール
４  穴
５  溝
６  ひも状物
７  板材
８  フック
９  ボルト
【図１】
0003109674.tif 000003
【図２】
0003109674.tif 000004